(57)【要約】      （修正有）【課題】使用時における視界の切れ味及び空気感を改善するようにしたメガネ及びメガネの各部に配置される機能部材を提供する。【解決手段】一対のレンズを保持するフロント,フロントの両端から後方に向かって延び且つ折り畳み可能にフロントに対して支持される一対のテンプル,フロントの中央部から後方に突出する一対の鼻パッドを含むメガネフレーム１１と、メガネフレームのフロントに保持された一対のプラスチック製のレンズ２０から成るメガネ１０において、メガネフレームの各部またはレンズの何れかに、すぐれた形状安定性を有し、硬度を局部的に高めるセラミック製の機能部材３０を備える。【選択図】図１
0003207241.tif 000002
【実用新案登録請求の範囲】
【請求項１】
一対のレンズを保持するフロント,前記フロントの両端から後方に向かって延び且つ折り畳み可能に前記フロントに対して支持される一対のテンプル,前記フロントの中央部から後方に突出する一対の鼻パッドを含むメガネフレームと、前記メガネフレームのフロントに保持された一対のプラスチック製のレンズから成るメガネにおいて、前記メガネフレームの各部またはレンズの何れかに、セラミック製の機能部材を備えたメガネ。
【請求項２】
前記機能部材が、セラミック製のチップ片から成ることを特徴とする、請求項1に記載のメガネ。
【請求項３】
前記チップ片が、その中心に穴を有していることを特徴とする、請求項2に記載のメガネ。
【請求項４】
前記チップ片が、円形の外形を有していることを特徴とする、請求項2または3に記載のメガネ。
【請求項５】
前記チップ片が、多角形状の外形を有していることを特徴とする、請求項2または3に記載のメガネ。
【請求項６】
前記機能部材が、前記メガネのレンズに配置され、前記メガネレンズに設けられた貫通穴内に挿入され固定されていることを特徴とする、請求項1に記載のメガネ。
【請求項７】
前記機能部材が、前記貫通穴の寸法に対応した棒状に形成されていることを特徴とする、請求項6に記載のメガネ。
【請求項８】
一対のレンズを保持するフロント,前記フロントの両端から後方に向かって延び且つ折り畳み可能に前記フロントに対して支持される一対のテンプル,前記フロントの中央部から後方に突出する一対の鼻パッドを含むメガネフレームと、前記メガネフレームのフロントに保持された一対のプラスチック製のレンズから成るメガネにおける前記メガネフレームの各部またはレンズの何れかに配置されるセラミック製の機能部材。
【考案の詳細な説明】
【技術分野】
【０００１】
本考案は、プラスチックレンズを使用したメガネに関し、特に使用時における視界の切れ味及び空気感を改善したメガネ及びメガネを構成するメガネフレームの各部またはレンズに配置されるセラミック製の機能部材に関するものである。
【背景技術】
【０００２】
従来一般的に、メガネは、メガネフレーム及び一対のレンズから構成されている。
メガネフレームは、前記一対のレンズを保持するフロントと、前記フロントの両端から後方に向かって延び且つ折り畳み可能に前記フロントに対して支持される一対のテンプルと、前記フロントの中央部から後方に突出する一対の鼻パッドと、から構成されている。
レンズは、前記フロントに保持され、透明材料から成る凸状または凹状の所謂メニスカスレンズである。
【０００３】
このような構成のメガネによれば、使用者が左右のテンプルを自分の頭部の左右にて耳の上側に掛けると共に、鼻パッドを自分の鼻部の左右両側に当接させることにより、メガネが装着される。
これにより、左右のレンズがそれぞれ使用者の眼の直前に保持され、使用者は、両眼でそれぞれ左右の対応したレンズを介して前方を見ることができる。その際、前方から光がレンズを介して眼内に進入し、各眼のレンズ体の屈折作用により、さらにメガネの各レンズの屈折作用により矯正されて、使用者の眼の網膜上に正しく結像されるようになっている。
【考案の概要】
【考案が解決しようとする課題】
【０００４】
ところで、メガネのレンズとしては、加工がしやすいことや軽量であること等の観点から、現在多くプラスチックレンズが使用されている。
しかしながら、プラスチックレンズの場合、材料であるプラスチック自体の硬度が、ガラスレンズの材料であるガラスと比較して低いため、傷がつきやすく、またレンズを通した視界の切れ味が甘く感じてしまうことがある。
ここで、傷がつきやすい点に関しては、レンズ表面により硬度の高いコーティング層を設けることによって、解決されるが、切れ味の甘さについては、未だ解決されていない。
【０００５】
また、プラスチックレンズの場合も、またガラスレンズの場合も、使用者の眼前にレンズが位置することから、視認しようとする対象物と使用者の眼の間にレンズが存在することになる。このため、裸眼で直接に対象物を視認する場合に比べて、レンズ自体の存在によって、使用者が息苦しさ、即ち眼に呼吸を詰めた感じを覚える、所謂空気感が損なわれて、視認性が低下してしまう。
ここで、空気感とは、メガネ全体として調和することにより使用者に対して違和感を与えなくする様子や雰囲気のことであり、例えば陶器のコップとガラスのコップを手に取って見れば分かるように、素焼きのコップもしくは高台まで釉薬がかぶらない陶器のコップは、ガラスのコップを持った場合に比して空気を孕む素材感から手に力みなく柔らかくなじむ感じを使用者に与える。
力みなく柔らかくなじむということは、疲労や?怠感を与えることなく、快適に使用できるかという観点からすると長時間使用するメガネにおいて重要な要素であって、素材から得られる感覚要素ではあるものの、空気に接している感触、雰囲気に通ずる表現として用いている。
【０００６】
この空気感が損なわれて、視認性が低下する問題は、特に強い度のレンズの使用者においては、歪みなく見れる領域がレンズの中心部付近の狭い領域に限られるため、視認しようとする対象物が動く場合、裸眼により直視するのと比較して、違和感が大きく無視できないものとなっている。
【０００７】
さらに、プラスチックレンズ及びフレームで発生する微小振動、あるいはゆらぎといえるものもレンズを通した視界の切れ味の甘さを生じさせる一因となっている。即ち、プラスチックレンズの微小振動あるいはゆらぎ等の要因としては、温度変化による熱収縮の度合いが大きいこと、外力による歪み耐性の弱さ、絶縁性能の高さによる帯電性などがあげられ、これらを要因とする物理的変化は数値上はごくわずかであるが、これに伴う焦点距離、焦点位置の誤差などは、知覚可能な程度にまで影響を及ぼすものであって看過しきれるものではない。
にもかかわらず、こういった部分については今まで放置されてきた。
【０００８】
本考案は、以上の点に鑑み、簡単な構成により、使用時における視界の切れ味及び空気感を改善するようにしたメガネ及びメガネの各部に配置される機能部材を提供することを目的としている。
【課題を解決するための手段】
【０００９】
上記目的は、本考案の第一の構成によれば、一対のレンズを保持するフロント,フロントの両端から後方に向かって延び且つ折り畳み可能に前記フロントに対して支持される一対のテンプル,フロントの中央部から後方に突出する一対の鼻パッドを含むメガネフレームと、メガネフレームのフロントに保持された一対のプラスチック製のレンズから成るメガネにおいて、メガネフレームの各部またはレンズの何れかに、セラミック製の機能部材を備えたメガネにより、達成される。
【００１０】
本考案によるメガネは、好ましくは、機能部材が、セラミック製のチップ片から成る。
これに限らずセラミック以外の硬質な素材を用いて同様のチップとすることにより、同様の機能部材とすることも可能である。
【００１１】
本考案によるメガネは、好ましくは、チップ片が、その中心に穴を有している。
【００１２】
本考案によるメガネは、好ましくは、チップ片が、円形の外形を有している。
【００１３】
本考案によるメガネは、好ましくは、チップ片が、多角形状の外形を有している。
【００１４】
本考案によるメガネは、好ましくは、機能部材が、メガネレンズに設けられた貫通穴内に挿入され固定されている。
【００１５】
本考案によるメガネは、好ましくは、機能部材が、貫通穴の寸法に対応した棒状に形成されている。
【００１６】
また、上記目的は、本考案の第二の構成によれば、一対のレンズを保持するフロント,前記フロントの両端から後方に向かって延び且つ折り畳み可能に前記フロントに対して支持される一対のテンプル,前記フロントの中央部から後方に突出する一対の鼻パッドを含むメガネフレームと、前記メガネフレームのフロントに保持された一対のプラスチック製のレンズから成るメガネにおける前記メガネフレームの各部またはレンズの何れかに配置されるセラミック製の機能部材により、達成される。
【考案の効果】
【００１７】
上記構成によれば、機能部材がメガネフレームの各部またはレンズに備えられることによって、機能部材の周辺領域におけるメガネフレームまたはレンズの硬度が局部的に高められることになる。これにより、プラスチックレンズ及びフレームで発生する微小振動、あるいはゆらぎと言えるものが抑制され、プラスチックレンズを使用したメガネにおける低い硬度に基づく視界の切れ味の甘さが改善される。
また、機能部材は、多結晶構造を有するセラミックに特有の、一定方向に振動ピークを持たないという特徴及び、環境変化に対する優れた形状安定性、更に硬度が高いという特徴を持つことにより、違和感の少ないダンパーとして機能して、プラスチックレンズ及びフレームで発生した微小振動を抑制しつつ、その振動エネルギーを機能部材が持つ形状と大きさに比例した自己共振エネルギーに変換することにより、メガネの各部に生じる微小振動の差異を吸収、整列せしめる。
【００１８】
そして、使用者は、このような局部的な硬度の変化を優先的に感じて、メガネ全体における硬度の変化として知覚する傾向がある。従って、視界の切れ味が、局部的ではなく、使用者の視野全体に亘って向上することになる。
また、使用者が視認しようとする対象物と使用者の眼の間にレンズが存在することによる空気感の低下も、機能部材による硬度感の上昇という主たる要因に加え、多孔質セラミックにおける気孔の存在、機能部材に設けられた中心穴という硬質な素材に囲まれた微小空間によって空気感が高められ、同様にして、レンズ全体としてその空気感が高められ、メガネ使用時の視認性が向上することになる。
さらに、自己共振により局部的なものとしてではなく、使用者の視野全体に亘って視界の切れ味及び空気感が向上したように感じられることになる。
【図面の簡単な説明】
【００１９】
【図１】本考案によるメガネの一実施形態の構成を示す概略斜視図である。
【図２】図1のメガネにおけるレンズへの機能部材の配置例を示す(A)正面図及び(B)底面図である。
【図３】図1のメガネに備えられる機能部材の第一の形成例を示す(A)平面図及び(B)側面図である。
【図４】図1のメガネに備えられる機能部材の第二の形成例を示す(A)平面図及び(B)側面図である。
【図５】図1のメガネに備えられる機能部材の第三の形成例を示す(A)平面図及び(B)側面図である。
【図６】図1のメガネに備えられる機能部材の第四の形成例を示す(A)平面図及び (B)側面図である。
【図７】図1のメガネにおけるレンズへの機能部材の第二の配置例を示す(A)平面図及び(B)底面図である。
【図８】図1のメガネにおけるレンズへの機能部材の第三の配置例を示す(A)平面図及び(B)底面図である。
【図９】図1のメガネに備えられる機能部材の第五の形成例を示す(A)平面図及び(B)側面図である。
【図１０】図1のメガネに備えられる機能部材の第六の形成例を示す(A)平面図及び(B)側面図である。
【図１１】図1のメガネに備えられる機能部材の第七の形成例を示す(A)平面図及び(B)側面図である。
【考案を実施するための形態】
【００２０】
図1は、本考案によるメガネの一実施形態の構成を示している。
図1において、メガネ10は、メガネフレーム11と、一対のレンズ20と、機能部材30と、から構成されている。
【００２１】
メガネフレーム11は、それ自体公知の構成であって、一対のレンズ20を保持するフロント12と、フロント12の両端から後方に向かって延びる一対のテンプル13と、フロント12の中央部から後方に突出する一対の鼻パッド14と、から構成されている。
【００２２】
フロント12は、図示の場合、金属製であって、一対のレンズ20をそれぞれ保持する二つの枠体12a,12bから構成されており、これらの枠体12a,12bは互いにブリッジ12cにより連結されている。
【００２３】
テンプル13は、同様に金属製であって、それぞれ後端付近が使用者の耳に掛かるように下方に向かって屈曲しており、図示の場合、使用者の耳に掛かる後端部分には、当たりをやわらげるために、例えばプラスチック製の耳当て部13aが備えられている。
鼻パッド14は、例えばシリコン等の軟質プラスチック製であって、使用者の鼻の左右面に正しく当接し得るように、例えば図示しないクリングスにより揺動可能に支持されている。
【００２４】
レンズ20は、プラスチックレンズであって、それぞれ使用者の左右の眼の視力に合わせて調整された視度を有する凸状または凹状のメニスカスレンズとして形成されている。
【００２５】
機能部材30は、図2に示すように、各レンズ20の側縁付近にて、それぞれ各レンズ20の表面に貼り付けられている。尚、図2においては、機能部材30は、レンズ20の表面の一箇所に配置されているが、これに限らず、裏面、側面を含む複数個所に配置されていてもよい。
【００２６】
ここで、機能部材30は、例えばSiCや、アルミナ等のファインセラミック、あるいは陶器、磁器といった広義のセラミック材料から成り、図3に示すように、薄い円板状のセラミックチップとして形成されていて、中心穴31を備えている。この中心穴31は、セラミックチップを構成するセラミック材料の内包する気孔が多い所謂多孔質セラミック材料の場合には、図4に示すように、中心穴31は省略されてもよい。
この場合、機能部材30は、例えば厚さtが0.2mm~2mm程度、好ましくは0.5mm、外径Dが0.8mm~4mm程度、好ましくは外径2mmに、また中心穴の内径dが0.2~2mm程度、好ましくは0.6mmに選定される。
【００２７】
また、機能部材30は、円板状である必要はなく、例えば図5に示すように、薄い八角形の板状に中心穴を有するもの、あるいは多孔質セラミック材料の場合には、図6に示すように薄い正八角形の板状に中心穴を有しないものであってもよい。
この場合、機能部材30は、例えば厚さtが0.2mm~2mm程度、好ましくは0.5mm、外寸Dが1mm~4mm程度、好ましくは外寸2mmに、また中心穴の内径dが0.2~2mm程度、好ましくは0.5mmに選定される。
【００２８】
さらに、機能部材30は、例えば図9に示すように、エンゼル型の形状のように中心穴を有するものであってもよい。
この場合、機能部材30は、例えば厚さtが0.3mm~2mm程度、好ましくは0.4mm、外径Dが1mm~4mm程度、好ましくは外径2mm、中心穴の内径dが0.1~2mm程度、好ましくは0.4mm、また半径rが0.2mm~1mm程度、好ましくは0.4mmに選定される。
ここで半径rに示される形状は、必ずしも半径に示される形状でなくてもよく、楕円、曲線または部分的に直線で形成されてもよい。
【００２９】
その他、機能部材30は、例えば図10に示すように、半球形状に中心穴を有するもの、あるいは多孔質セラミック材料の場合には、図11に示すように半球形状に中心穴を有しないものであってもよい。
この場合、機能部材30は、例えば厚さtが0.4mm~2mm程度、好ましくは1mm、外径Dが0.8~4mm程度、好ましくは外径2mmに、中心穴の内径dが0.2mm~2mm程度、好ましくは0.6mm、また半径rが0.4mm~2mm程度、好ましくは1mmに選定される。
ここで半径rに示される形状は、必ずしも半径に示される形状でなくてもよく、楕円、曲線または部分的に直線で形成されてもよい。
【００３０】
なお、上記の外径Dとして示す円形状部分は、必ずしも円でなく、楕円等の形状をとっ
てもよい。
このように、機能部材30の形状及び大きさを選択的に調整することにより、自己共振のモードが、視界を阻害することなく、セラミック特有の素材感とあいまって空気感といえる感覚を伝えやすくなる。
ここでいう、素材感とは、セラミックにおける気孔の存在、または気孔が少ない素材においては機能部材に設けられた中心穴という素材に囲まれた微小空間といった空気を孕む構造によってもたらされる感触のことである。
そして、図3、図4、図5、図9、図10、図11に示す機能部材30の形状は空気感と視界の切れ味の効果を両立させるべく見出されたものである。
【００３１】
また、一般的な陶器、磁器においては釉薬を用いて表面処理を行うが、本機能部材においても端面を釉薬などにより表面処理することで視界における切れ味を更に改善することが期待できる。
【００３２】
本考案によるメガネ10は、以上のように構成されており、使用時には、使用者がテンプル13の耳当て部13aを自分の両耳の上側に掛けると共に、鼻パッド14を自分の鼻部の左右両側に当接させることにより、メガネ10が装着される。
この状態で、外部から光が双方のレンズ20を介して使用者の両眼にそれぞれ入射し、さらに各眼のレンズ体を通って、網膜上に進入する。
そして、レンズ20の屈折作用及び眼のレンズ体の屈折作用により、対象物の像が網膜上に正しく結像して、対象物が視認されることになる。
【００３３】
ここで、レンズ20に機能部材30が貼着されていることにより、レンズ20の硬度が局部的に高められる。
これに対して、使用者は、このような局部的な硬度の変化をメガネ10全体における硬度の変化と知覚する傾向がある。従って、レンズ20を介した視界の切れ味が、使用者の視野全体に亘って向上することになる。
また、使用者が視認しようとする対象物と使用者の眼の間にレンズ20が存在すること
による空気感の低下も、同様にして、機能部材30による硬度の上昇に伴って、レンズ20全体として、さらにメガネ10全体として、改善されるので、空気感が高められ、メガネ20使用時における視認性が向上することになる。
さらに、機能部材30の働きである微小振動抑制効果と自己共振効果により使用者の視野全体に亘って視界の切れ味及び空気感が向上したように感じられることになる。
【００３４】
上述した実施形態においては、機能部材30は、レンズ20の側縁付近の表面に貼着されているが、これに限らず、例えば図7に示すように、レンズ20の表面側に埋め込まれていてもよい。
即ち、図7において、機能部材30は、図1におけるメガネ10で使用される機能部材30と同じものである。そして、機能部材30は、レンズ20の側縁付近の表面側に凹陥部20a内に埋め込んで配置されている。これに限らず凹陥部は裏面、側面に設け配置してもよい。
【００３５】
凹陥部20aの深さは、機能部材30の厚さに対応して選定されることにより、機能部材30が凹陥部20a内に埋め込まれたとき、機能部材30の表面がレンズ20の表面とほぼ同一平面となるように構成されている。
尚、凹陥部20aの深さを機能部材30の厚さより深く選定しておき、凹陥部20a内に機能部材30を埋め込んだ後、凹陥部20a内に、機能部材30の上から、充填材を充填・硬化させて、凹陥部20aの表面をレンズ20の表面と同一平面となるようにしてもよい。
【００３６】
このような構成のメガネによれば、図1及び図2に示したメガネ10と同様にして、レンズ20に機能部材30が埋め込まれていることにより、レンズ20の硬度が局部的に高められる。そして、使用者が、このような局部的な硬度の変化をメガネ10全体における硬度の変化と知覚するので、レンズ20を介した視界の切れ味が、使用者の視野全体に亘って向上することになる。
さらに、機能部材30の働きである微小振動抑制効果と自己共振効果により使用者の視野全体に亘って視界の切れ味及び空気感が向上したように感じられることになる。
【００３７】
また、図8に示すように、レンズ20の側縁付近に、レンズ20を表面側から裏面側まで貫通する貫通穴20bを設けておき、この貫通穴20bに対応する形状の機能部材32を埋め込むようにしてもよい。
この場合、貫通穴20bは、ほぼ円筒状に形成されていると共に、機能部材32は、貫通穴20bの内径よりわずかに小径の棒状に形成されている。これにより、機能部材32がレンズ20の貫通穴20b内に挿入・固定されることによって、レンズ20の側縁付近に機能部材32が埋め込まれることになる。
【００３８】
このような構成のメガネによれば、同様に、レンズ20に機能部材32が埋め込まれていることにより、レンズ20の硬度が局部的に高められる。そして、使用者が、このような局部的な硬度の変化をメガネ10全体における硬度の変化と知覚するので、レンズ20を介した視界の切れ味が、使用者の視野全体に亘って向上すると共に、メガネ10全体として空気感が高められ、視認性が向上する。
さらに、機能部材30の働きである微小振動抑制効果と自己共振効果により使用者の視野全体に亘って視界の切れ味及び空気感が向上したように感じられることになる。
【００３９】
上述した実施形態においては、機能部材30または32は、いずれもレンズ20の側縁付近に貼着または埋め込みにより配置されているが、これに限らず、メガネ10の他の部分に、機能部材が配置されていてもよい。
例えば、図1において、メガネフレーム11の鼻パッド14におけるクリングス等の固定部分(矢印A)やテンプル13における耳当て部13aとの境界付近(矢印B)に、機能部材30が貼着されていてもよい。
【００４０】
このような機能部材30の配置によれば、機能部材30により、メガネ10のフロント12またはテンプル13の硬度が局部的に高められることになる。
これにより、使用者が、このような局部的な硬度の変化をレンズ20を含むメガネ10全体における硬度の変化と知覚するので、レンズ20を介した視界の切れ味が、使用者の視野全体に亘って向上すると共に、メガネ10全体として空気感が高められ、視認性が向
上する。
さらに、機能部材30の働きである微小振動抑制効果と自己共振効果により使用者の視野全体に亘って視界の切れ味及び空気感が向上したように感じられることになる。
【００４１】
また、上述した実施形態においては、機能部材30,32は、いずれもレンズ20またはテンプル13に対して左右一対が配置されているが、これに限らず、左右のバランスを考慮して、左右対称の位置に複数対の機能部材30または32が設けられていてもよい。
なお、機能部材30の配置位置については、好ましくは、フロントを前、テンプルを後ろとした場合、その前後の重量バランスがとれる位置、概ねテンプルのフロントよりから5cmの場所に一対配置しておくことが有効である。
このように配置することによって、機能部材30の自己共振効果を最大限に発揮することが可能となる。
【産業上の利用可能性】
【００４２】
本考案はその趣旨を逸脱しない範囲において様々な形態で実施することができる。
例えば、上述した実施形態においては、機能部材30または32は、レンズ20の側縁付近または鼻パッド14,テンプル13に配置されているが、これに限らず、レンズ20の他の部分、例えばフロント12の枠体12a,12b,ブリッジ12cやテンプル13の耳当て部13a等のメガネフレーム11の任意の部分に、機能部材が貼着または埋め込み等により配置されていてもよいことは明らかである。
【００４３】
また、上述した実施形態においては、機能部材30は、外形が円形または正八角形に形成されているが、これに限らず、中心穴を備えあるいは中心穴のない正多角形あるいは楕円の外形であってもよいことは明らかである。
【００４４】
また、上述した実施形態においては、機能部材30の中心穴の形状は、同心円状のみならず、多角形や星形、または球形など、機能及びデザインを考慮した種々の形状であってもよいことは明らかである。
【００４５】
また、上述した実施形態においては、機能部材30,32をメガネ10に使用した場合について説明したが、これに限らず、このような機能部材30,32の貼着または埋め込み等による配置は、プラスチックレンズを使用した例えばデジタルカメラ等の光学機器や携帯端末等の各種機器にも応用することが可能であり、これにより、撮像した画面の切れ味が向上し、空気感が高められることになる。
【００４６】
さらには、上述した機能部材30,32の貼着または埋め込み等による配置は、使用者が視認しようとする画面を提供するディスプレイを備えた携帯端末,パーソナルコンピュータ,テレビジョン装置等の各種機器にも応用することが可能であり、これにより、画面上に表示された画像の切れ味が向上することになる。
【００４７】
以上述べたように、本考案によれば、簡単な構成により、使用時における視界の切れ味及び空気感を改善するようにしたメガネ及びメガネの各部に配置される機能部材が提供される。
【符号の説明】
【００４８】
10 メガネ
11 メガネフレーム
12 フロント
12a,12b 枠体
12c ブリッジ
13 テンプル
13a 耳当て部
14 鼻パッド
20 レンズ
30 機能部材
31 中心穴
32 機能部材
【図１】
0003207241.tif 000003
【図２】
0003207241.tif 000004
【図３】
0003207241.tif 000005
【図４】
0003207241.tif 000006
【図５】
0003207241.tif 000007
【図６】
0003207241.tif 000008
【図７】
0003207241.tif 000009
【図８】
0003207241.tif 000010
【図９】
0003207241.tif 000011
【図１０】
0003207241.tif 000012
【図１１】
0003207241.tif 000013